(57)【特許請求の範囲】
【請求項１】
洗い場付浴槽の浴槽の外側に水受け皿を設け、浴槽に並設した洗い場の浴室内側に、水受け皿から延設した排水パイプの終端を開設した浴槽用水受け皿の構造において、上記排水パイプの終端が点検口の外蓋に隠蔽された内蓋に開設されていることを特徴とする水受け皿の構造。
【請求項２】
洗い場付浴槽の浴槽の外側に水受け皿を設け、浴槽に並設した洗い場の浴室内側に、水受け皿から延設した排水パイプの終端を開設した浴槽用水受け皿の構造において、上記排水パイプの終端が点検口に二重に配設された水密部材の間に開設されており、二重に配設された水密部材のうち外側は下部に隙間を設けていることを特徴とする水受け皿の構造。
【請求項３】
水受け皿の排水パイプの始端高さ以下の部分に水溶性の色素が設置されていることを特徴とする請求項１又は２の水受け皿の構造。
【請求項４】
水受け皿の周囲には浴槽に接着するためのフランジ部を設け、上記フランジ部を浴槽の保温材で覆ったことを特徴とする請求項１から３のいずれかに記載の水受け皿の構造。
【発明の詳細な説明】
【０００１】
【発明の属する技術分野】
本発明は、浴槽と浴槽用追焚アダプターや気泡浴槽のポンプ部との接合部から漏れた水を受ける水受け皿の構造に関するものである。
【０００２】
【従来の技術】
従来、先行技術として特開平１１−３３６１５３や特開平１１−３０９０７８や特開平１０−１４８４０３が出願されており、特開平１１−３３６１５３では浴槽の外側に水受け皿を設け、浴槽に並設した洗い場の浴室内側に、水受け皿から延設した排水パイプの終端を開設した浴槽用水受け皿の排水構造の例が記載されている。また、特開平１１−３０９０７８では、排水路に逆止弁を設けた例や排水路を分割した例や、排水を水受けからオーバーフロー状に排出する例が記載されている。また、特開平１０−１４８４０３では飛散防止壁を設けた例が記載されている。
【０００３】
【発明が解決しようとする課題】
上記の特開平１１−３３６１５３では、部品点数が多くなり、必然的に構造の複雑化、コストの高騰を招く、また、排水管内に常時、溜水があり、排水管が脱落、破損した場合、浴室外側に漏水するなど信頼性が低下してしまう。更に、使用勝手をよくするため洗い場からの浴槽またぎ高さを４００ｍｍ程度、浴槽深さを５００ｍｍ以上にするのが一般的であり、そのような高さ関係では洗い場に浴槽から一気に水が溢れた場合など浴室外側に逆流し、被害を拡大させる危険性が考えられる。
【０００４】
また、特開平１１−３０９０７８では、部品点数が多くなり、必然的に構造の複雑化、コストの高騰を招き、逆流防止を逆止弁に頼るため経年による劣化などにて作動不良などによる逆流か発生し、信頼性が低下してしまう。また、万一の漏水に際して、使用者から見えない部分にて排水が行われることになり、発見が遅れ、漏水の被害が拡大してしまう危険性が大きい。
【０００５】
また、特開平１０−１４８４０３では、浴槽に部品を取付ける加工が複雑になる上、通常、浴槽の湯温低下を防ぐために取付けられている浴槽の保温材を取り付けることができない。
【０００６】
本発明は、上記課題を解決するためになされたもので、本発明の目的は、部品点数が少なく、構造が単純であり、コストが低く、信頼性が高い。また、万一の漏水に際して、使用者が発見でき漏水の被害を最小限い防ぐことができる。
【０００７】
また、浴槽保温材を取付けることができ、さらには水受け皿の取付け強度向上と外観向上した水受け皿の構造を提供することにある。
【００１０】
洗い場付浴槽の浴槽の外側に水受け皿を設け、浴槽に並設した洗い場の浴室内側に、水受け皿から延設した排水パイプの終端を開設した浴槽用水受け皿の構造において、排水パイプの終端を外蓋に隠蔽された内蓋に開設した。
【００１１】
洗い場付浴槽の浴槽の外側に水受け皿を設け、浴槽に並設した洗い場の浴室内側に、水受け皿から延設した排水パイプの終端を開設した浴槽用水受け皿の構造において、上記排水パイプの終端を点検口に二重に配設された水密部材の間に開設し、二重に配設された水密部材のうち外側は下部に隙間を設けた。
【００１４】
水受け皿の排水パイプの始端高さ以下の部分に水溶性の色素を設置した。
【００１５】
水受け皿の周囲には浴槽に接着するためのフランジ部を設け、上記フランジ部を浴槽の保温材で覆った。
【００１６】
【発明の実施の形態】
以下、本発明を図示された実施例に基づき詳述する。浴室１は浴槽２と洗い場部３の周縁部に壁パネルとドア（図示せず）を立設し、壁の上部に天井パネル（図示せず）を設置し、主体が構成されている。
【００１７】
浴槽２の側面には追焚アダプターまたは気泡浴槽のポンプ１０が設けられている。洗い場付浴槽の場合、追焚アダプターまたは気泡浴槽のポンプ１０からの漏水に備え、水受け皿４を設置する。万一、漏水が発生した場合には、漏れた水は水受け皿４に回収され、排水パイプ５を通り、洗い場３に排水され、その後、通常の排水と同様にトラップ１１にて排水本管に排水される。水受け皿４はフランジ部４ｂを有し、フランジ部４ｂを糊しろとして浴槽２に接着される。接着に際しては、接着剤、両面テープなど実績がある手法があるため、ここでは説明は省略する。
【００１８】
水受け皿４はゴムなどの弾性を有する材質にて成形されており浴槽２に貼り付ける際は、柔軟に浴槽２の曲面に馴染んで取り付けられるため、接着もし易く、強度上も好ましい。更に、弾性を有する材質のため、洗い場付浴槽の施工や搬入において誤って建築などとぶつけた場合でも破損しにくく、破損やはがれにより漏水してしまう危険性が少なくて済む。水受け皿４には排水パイプ５が取り付けられているが、水受け皿４の最低部を避けた高さに排水パイプ始端５ａが設定されている。これは、経年により、水受け皿４にほこりがたまり、排水パイプ始端５ａを塞いでしまうのを防ぐことに効果を発揮する。
【００１９】
水受け皿４の最低部には水溶性の色素４aが設けられており、漏水の場合、水受け皿４に受けられて水により、水溶性の色素４ａが溶けて、着色された水が洗い場３に染み出し、漏水を早期に発見することが可能である。水溶性の色素４aは水彩絵具やポスターカラー、筆記用のインキと同様の材質の物で良く、漏水があった場合には容易に水溶し、通常時は固形、粉末、またはジェル状にて水受け皿４底部に保持されている。
【００２０】
排水パイプの終端５ｂは洗い場立ち上がり面３ａの点検口６付近の更には、点検口蓋７にて隠蔽される位置に設けられており、通常の使用では見えず、意匠上好適であると同時に、直接シャワー等の散水を受けず防水、水密性を確保する上でも好ましい。また、排水パイプの終端５ｂはドアの靴摺り１２より高い位置に設けられているため、万一、トラップ１１などが詰まって、洗い場３に水が溢れた場合でも、ドア靴摺り１２より水位が上がらないため、水没せず、排水パイプ５に水が逆流することがない。
【００２１】
図１では、点検口蓋７にて隠蔽される部分に排水パイプ終端５ｂを設けた実施例を示す。図2では点検口内蓋７ａに排水パイプ終端５ｂを設け、点検口外蓋７ｂにて隠蔽した実施例を示す。
【００２２】
図３では、点検口内蓋７ａにて隠蔽される洗い場立ち上がり面３ａに排水パイプ終端５ｂを設けた実施例を示し、点検口内蓋７ａの水密性を確保するために取付けされた水密性部材、内側水密性部材８ａと外側水密性部材８ｂの間に排水パイプ終端５ｂを取り付けている。この時、排水パイプ終端５ｂから排水される水を洗い場３に排水するため、外側水密性部材８ｂにはつなぎ目に若干の間隔を取るように設置されている。
【００２３】
図４では、排水パイプ終端５ｂを点検口蓋の棚部７ｃにて通常の使用状態では見えにくく、シャワーの散水などがかかりにくい部分に設けた実施例である。
水受け皿４はフランジ４ａにて浴槽２に接着された後、さらに、浴槽の保温材９にて包み込まれるように保持される。このため、更に強固に浴槽２に保持されることになり、万一の接着はがれにも安心である。フランジ４ａを接着するときに使用する接着剤がはみ出した場合でも、浴槽の保温材９がフランジ４ａもろとも覆い隠すため、作業が若干ラフに行なわれても商品の外観を損なうことがなく作業性を向上させることができる。
【００２６】
【発明の効果】
洗い場付浴槽の浴槽の外側に水受け皿を設け、浴槽に並設した洗い場の浴室内側に、水受け皿から延設した排水パイプの終端を開設した浴槽用水受け皿の構造において、上記排水パイプの終端が点検口の外蓋に隠蔽された内蓋に開設されているので、直接シャワーがかからず、逆止弁や大きな排水勾配を取らずに逆流を防止できる。また、逆止弁などの複雑な構造を必要としないため、安価で信頼性を高めることができる。さらには、通常の使用では排水パイプの終端が見えないため意匠もよく、万一の漏水の場合には点検口蓋と床の間から排水が見えるため漏水を早期に検知し被害の拡大を防止することが可能である。また、排水パイプの終端を取り付ける平面部分が設けられない場合に、内蓋に取り付ければよいので好ましい。
【００２７】
洗い場付浴槽の浴槽の外側に水受け皿を設け、浴槽に並設した洗い場の浴室内側に、水受け皿から延設した排水パイプの終端を開設した浴槽用水受け皿の構造において、上記排水パイプの終端が点検口に二重に配設された水密部材の間に開設されており、二重に配設された水密部材のうち外側は下部に隙間を設けたので、直接シャワーがかかりにくく、逆止弁や大きな排水勾配を取らずに逆流を防止できる。また、逆止弁などの複雑な構造を必要としないため、安価で信頼性を高めることができる。さらには、通常の使用では排水パイプの終端が見えにくいため意匠もよく、万一の漏水の場合には排水が見えるため漏水を早期に検知し被害の拡大を防止することが可能である。また、水密部材のため逆流や蒸気の流出防止について、特に効果を発揮する。
【００３０】
水受け皿の排水パイプの始端高さ以下の部分に水溶性の色素が設置されているので、漏水の際に洗い場に排水された水が視認しやすくなり時間が過ぎて被害が拡大することがない。
【００３１】
水受け皿の周囲には浴槽に接着するためのフランジ部を設け、上記フランジ部を浴槽の保温材で覆ったので、フランジ部からはみ出した接着剤を隠蔽できるため作業がしやすく、さらに、特段のコストの上昇も無く浴槽の保温材が水受け皿を保持するため更に強固に水受け皿が保持できる。
【図面の簡単な説明】
【図１】本発明の請求項１に係る洗い場付き浴槽の側断面図である。
【図２】本発明の請求項２に係る洗い場付き浴槽の側断面図である。
【図３】本発明の請求項３、４に係る洗い場付き浴槽の側断面図である。
【図４】本発明の請求項５に係る洗い場付き浴槽の側断面図である。
【図５】本発明の請求項８に係る洗い場付き浴槽の側断面図である。
【符号の説明】
１     浴室
２     浴槽
３     洗い場
３ａ   洗い場立ち上がり面
４     水受け皿
４ａ   水溶性色素
４ｂ   水受け皿フランジ
５     排水パイプ
５ａ   排水パイプ始端
５ｂ   排水パイプ終端
６     点検口
７     点検口蓋
７ａ   点検口内蓋
７ｂ   点検口外蓋
７ｃ   点検口棚部
８     水密部材
８ａ   内側水密部材
８ｂ   外側水密部材
９     浴槽の保温材
１０   追焚アダプタまたは気泡浴槽のポンプ
１１   トラップ
１２   ドア靴摺り面
【図１】
0004640689.tif 000002
【図２】
0004640689.tif 000003
【図３】
0004640689.tif 000004
【図４】
0004640689.tif 000005
【図５】
0004640689.tif 000006